(57)【特許請求の範囲】
【請求項１】
操作者の予め定められた領域を撮像する撮像手段と、
前記撮像手段により撮像された静止画像又は動画像と処理対象となった文書データの属性情報を記録する記録手段と、を備え、
前記操作者から指示される処理を受け付けた場合、前記静止画像又は前記動画像を前記属性情報と関連付けて前記記録手段に記録し又は外部へ送信を行う、
ことを特徴とする画像形成装置。
【請求項２】
予め設定された領域内で移動体を検知する移動体検知手段と、
前記撮像手段が、入射する光量を検知する光量検知手段と、を有し、
前記光量検出手段によって検知された前記光量が予め定められた光量より少ない場合、予め設定された所定の時間帯において、前記移動体検知手段で前記移動体が検知された場合に、前記予め定められた領域の静止画像又は動画像を連続して撮像し、前記静止画像又は前記動画像を撮像された時間情報と関連付けて前記記録手段に記録する、
ことを特徴とする請求項１に記載の画像形成装置。
【請求項３】
認証手段による認証がなされ、前記操作者から指示される処理を受け付けた場合に、前記記録手段に記録された前記静止画像又は前記動画像及び処理された前記文書データの属性情報を表示する、
ことを特徴とする請求項１又は２に記載の画像形成装置。
【請求項４】
前記操作者が有するアクセス権に基づいて前記記録手段に記録された前記静止画像又は前記動画像に対する検索を許可する、
ことを特徴とする請求項３に記載の画像形成装置。
【請求項５】
コンピュータに、
操作者の予め定められた領域を撮像する撮像機能と、
前記撮像手段により撮像された静止画像又は動画像と処理対象となった文書データの属性情報を記録する記録機能と、
前記操作者から指示される処理を受け付けた場合、前記静止画像又は前記動画像を前記属性情報と関連付けて記録し又は外部へ送信を行う制御機能と、を実現する、
ことを特徴とするプログラム。
【発明の詳細な説明】
【技術分野】
【０００１】
本発明は、画像形成装置に関する。
【背景技術】
【０００２】
操作者を撮影するカメラと、カメラにより撮影された操作者の顔を示す顔データが、予め操作者の顔を示す顔データを登録した顔データ保存部に登録されている顔データを検索した結果に基づいて、登録者のものであるか否かを認証する認証部と、認証部の認証結果によって登録者のもので無いと判断した場合、登録者でない者が実行できる所定の機能のみを制御する制御部とを具備する画像形成装置が知られている（特許文献１）。
【先行技術文献】
【特許文献】
【０００３】
【特許文献１】特開２００６−８１１４７号公報
【発明の概要】
【発明が解決しようとする課題】
【０００４】
従来の技術では、アクセス権が管理されている文書データを、成りすまして又は誤って操作する操作者の特定を行うことができなかった。
本発明は、複合機を使用する操作者の顔を含む画像を記録することができる画像形成装置を提供することを目的とする。
【課題を解決するための手段】
【０００５】
前記課題を解決するために、請求項１に記載の画像形成装置は、
操作者の予め定められた領域を撮像する撮像手段と、
前記撮像手段により撮像された静止画像又は動画像と処理対象となった文書データの属性情報を記録する記録手段と、を備え、
前記操作者から指示される処理を受け付けた場合、前記静止画像又は前記動画像を前記属性情報と関連付けて前記記録手段に記録し又は外部へ送信を行う、
ことを特徴とする。
【０００７】
請求項２記載の発明は、請求項１に記載の画像形成装置において、
予め設定された領域内で移動体を検知する移動体検知手段と、
前記撮像手段が、入射する光量を検知する光量検知手段と、を有し、
前記光量検出手段によって検知された前記光量が予め定められた光量より少ない場合、予め設定された所定の時間帯において、前記移動体検知手段で前記移動体が検知された場合に、前記予め定められた領域の静止画像又は動画像を連続して撮像し、前記静止画像又は前記動画像を撮像された時間情報と関連付けて前記記録手段に記録する、
ことを特徴とする。
【０００９】
請求項３記載の発明は、請求項１に記載の画像形成装置において、
認証手段による認証がなされ、前記操作者から指示される処理を受け付けた場合に、前記記録手段に記録された前記静止画像又は前記動画像及び処理された前記文書データの属性情報を表示する、
ことを特徴とする。
【００１０】
請求項４記載の発明は、請求項３に記載の画像形成装置において、
前記操作者が有するアクセス権に基づいて前記記録手段に記録された前記静止画像又は前記動画像に対する検索を許可する、
ことを特徴とする。
【００１４】
前記課題を解決するために、請求項５に記載のプログラムは、
コンピュータに、
操作者の予め定められた領域を撮像する撮像機能と、
前記撮像手段により撮像された静止画像又は動画像と処理対象となった文書データの属性情報を記録する記録機能と、
前記操作者から指示される処理を受け付けた場合、前記静止画像又は前記動画像を前記属性情報と関連付けて記録し又は外部へ送信を行う制御機能と、を実現する、
ことを特徴とする。
【発明の効果】
【００１５】
請求項１、５に記載の発明によれば、撮像手段が操作者の顔を含む画像を撮像し、画像を記録手段に記録し又は外部へ送信を行う構成を有しない場合に比して、複合機を使用する操作者を特定する記録を蓄積することができる。
請求項２に記載の発明によれば、光量検出手段によって検知された光量が予め定められた光量より少ない場合に、画像形成装置の周辺の所定の時間帯の画像を記録することができる。
請求項３に記載の発明によれば、記録手段に記録された画像を後から確認することができる。
請求項４に記載の発明によれば、記録手段に記録された画像を安全に管理することができる。
【図面の簡単な説明】
【００１６】
【図１】（ａ）は画像形成装置１の外観全体を示す概略構成図、（ｂ）は変形例の人検知装置１００を備えた画像形成装置１の外観全体を示す概略構成図である。
【図２】画像形成装置１のハードウェア構成を示すブロック図である。
【図３】変形例の人検知装置１００を備えた画像形成装置１のハードウェア構成を示すブロック図である。
【図４】変形例の人検知装置１００の撮像範囲を示す模式図である。
【図５】画像形成装置１の動作の流れを示すフローチャートである。
【図６】画像形成装置１Ａのハードウェア構成を示すブロック図である。
【図７】画像形成装置１Ａの動作の流れを示すフローチャートである。
【図８】画像形成装置１Ｂの外観全体を示す概略構成図である。
【図９】人検知装置１００Ａの検知範囲及び撮像範囲を示す模式図である。
【図１０】画像形成装置１Ｂのハードウェア構成を示すブロック図である。
【図１１】画像形成装置１Ｂの動作の流れを示すフローチャートである。
【図１２】画像形成装置１Ｂの変形例の動作の流れを示すフローチャートである。
【図１３】画像形成装置１Ｃのハードウェア構成を示すブロック図である。
【発明を実施するための形態】
【００１７】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１８】
「第１実施形態」
（１）画像形成装置の全体構成
図１は本実施形態に係る画像形成装置１の外観全体を示す概略構成図、図２は人検知装置１００を含む画像形成装置１のハードウェア構成を示すブロック図である。
以下、図面を参照しながら、画像形成装置１の全体構成を説明する。
【００１９】
画像形成装置１は、図１（ａ）に示すように、原稿から画像を読み取って画像データに変換する読取部２、読み取った画像データを記録媒体としての用紙に印刷する画像形成部３、ユーザーインターフェイスとしての操作情報部４、画像形成装置１全体の動作を制御する制御装置１０（図２に図示）、設定画面、設定情報、画像等の各種の情報を記憶するＨＤＤ等からなる記録装置２０（図２に図示）を備えて構成されている。
【００２０】
画像形成装置１は、処理機能として、画像を光学的に走査して画像データを得る読取機能（スキャン機能）、読取機能により得られた画像データに所定の処理を施して記録媒体に画像として記録する複写機能（コピー機能）、通信回線等を介して取得した画像データに対して色変換や変倍等の画像処理を施して記録媒体に画像を形成する画像形成機能（プリント機能）等の複数の機能を備えている。
【００２１】
読取部２は、自動原稿送り部２１と、画像読取部２２とを備えて構成されている。自動原稿送り部２１は、原稿載置台２１１に置かれた原稿を画像読取部２２の読取位置に搬送し、画像読取部２２でＣＣＤ（Charge Coupled Device）ラインセンサ等のイメージセンサ（不図示）で読み取られた画像は電気信号である画像データに変換される。
【００２２】
画像形成部３は、例えば、電子写真方式により、入力された画像データに基づく画像を紙等の記録媒体上に形成し、また、形成した画像の画像データを処理の履歴画像として保存するためのイメージログデータとして出力する。このイメージログデータは、画像データそのものでも、圧縮することによりデータ量を低減させたものでも、さらに、画像データを生成するための描画命令でも良い。
【００２３】
読取部２の前面側には、ユーザーインターフェイスとしての操作情報部４が配置されている。操作情報部４は、液晶表示パネル、各種操作ボタン、タッチパネル等を組み合わせて構成され、画像形成装置１の操作者は、操作情報部４を介して各種の設定や指示の入力を行う。また、液晶表示パネルを介して画像形成装置１の操作者へ各種情報を表示する。
【００２４】
操作情報部４の側方側には、操作者の認証を行う認証手段としての認証部５が配置されている。認証部５は、例えば、操作者がかざしたＩＣカードの識別情報を受け付けて、予め登録された使用者情報が保管されている外部認証サーバへ受け付けた識別情報を送信し、外部認証サーバから送信されてくる使用者情報を受信することで使用者の認証を行う。
【００２５】
読取装置支持部６には、撮像手段の一例としての人検知装置１００（図２参照）が装着されている。人検知装置１００は、移動体の一例としての人を検知し、人検知カメラ１２０で撮像された画像データを制御装置１０へ送信する。
【００２６】
制御装置１０は、図２に示すように、画像形成装置１の動作を制御する画像形成装置制御部１１、印刷処理要求に応じた画像データを準備するコントローラ部１２、操作者の識別情報を受け付けて使用者の認証を行う識別情報取得部１３、処理対象の文書データを特定するための属性情報を保存する属性情報保存部１４、イメージログデータを生成したり人検知カメラ１２０で撮像された画像データを取得する画像取得部１５、画像データを識別符号とともに記録装置２０に蓄積する画像保存部１６、ユーザーインターフェイス（以下ＵＩと記す）制御部１７、アクセス権判定部１９を備えている。属性情報としては、イメージログデータ、処理対象である文書データとしての原稿に割り振られている通し番号、スキャンやコピー等の操作者から指示される処理を受け付けた時間等が挙げられる。
【００２７】
（２）人検知装置の構成と動作
人検知装置１００は、人検知カメラ１２０、揮発性メモリからなる画像蓄積部１３０、送信部１４０、制御部１５０を備えている。
尚、画像蓄積部１３０、送信部１４０、制御部１５０は、マイクロプロセッサ、メモリ等とともに半導体チップ上に集積したＳｏＣ（System on a Chip）として、画像形成装置１の動作を制御する画像形成装置制御部１１と独立して設けることができる。
【００２８】
人検知カメラ１２０は、撮像部１２１と、映像出力部１２２とを備えている。撮像部１２１は、更に、画像センサ１２１ａ（不図示）と、光学像を画像センサ１２１ａの受光エリアに形成する光学レンズ１２１ｂ（不図示）と、画像センサ１２１ａに入射する光量を検知する光量検知手段としての光量センサ１２１ｃ（不図示）と、を備えている。また、撮像部１２１は、これ以外に必要な回路等も含んでいる。
尚、画像センサ１２１ａとしては、画像形成装置１が設置された空間の定められた領域において、人の顔領域あるいは移動する人の全身領域の有無、形状（輪郭）等を検出するものであり、例えば、イメージセンサ（ＣＣＤイメージセンサやＣＭＯＳイメージセンサ）が適用可能である。
【００２９】
画像形成装置制御部１１は、制御部１５０を介して、光量センサ１２１ｃに入射する光量を取得して、検知された光量が予め定められた光量よりも少ない場合には、ＵＩ制御部１７を介して、操作情報部４にその旨を表示し、操作情報部４における操作者から指示される処理の一例であるスキャンやコピーを受け付けない。
尚、検知された光量が予め定められた光量よりも少ない場合としては、画像形成装置１の周囲の照度が低い場合、操作者が人検知カメラ１２０の撮像部１２１を塞いでいる場合等が挙げられる。
【００３０】
映像出力部１２２は、撮像部１２１によって撮像した映像を画像蓄積部１３０に出力する。具体的には、映像出力部１２２は、画像センサ１２１ａから出力された撮像データに対して、デジタル変換、ノイズ除去といった処理を施し、得られたデジタルデータを、静止画像（スナップショット）又は動画像として、画像蓄積部１３０に出力する。
【００３１】
また、人検知カメラ１２０は、制御部１５０からの指示に応じて撮像部１２１の撮像方向を変化させる撮像方向可変機構１２３（不図示）を備えている。具体的には、撮像方向可変機構１２３は、一般的な監視カメラに組み込まれる、ターンテーブル、チルト機構等であり、撮像部１２１の撮像方向を変化させて、画像を多方向から撮像して撮像される人の特徴を詳細に記録することができる。
【００３２】
また、人検知装置１００としては、同一構成の人検知カメラ１２０を複数備えた構成であってもよい。そして、それぞれの人検知カメラ１２０で画像を多方向から撮像して撮像される人の特徴を詳細に記録することができる。
【００３３】
「変形例」
図１（ｂ）は変形例の人検知装置１００を備えた画像形成装置１の外観全体を示す概略構成図、図３は変形例の人検知装置１００を備えた画像形成装置１のハードウェア構成を示すブロック図、図４は変形例の人検知装置１００の撮像範囲を示す模式図である。
人検知装置１００としては、図１（ｂ）に示すように、操作情報部４に、他の人検知カメラとして顔認識カメラ１２０Ａを設けて複数の人検知カメラを備えた構成としてもよい。顔認識カメラ１２０Ａは、画像形成装置１の周囲において、移動体（人）の有無、形状（輪郭）を検出するものであり、例えば、イメージセンサ（ＣＣＤイメージセンサやＣＭＯＳイメージセンサ）が適用可能である。
そのために、操作情報部４を介して画像形成装置１の操作を行う操作者の顔認証を行うために、顔認証に適したフィルタ構成（主として、顔の輪郭、目、鼻、口等が明確に検出されるようなフィルタ構成）とすることができる。
【００３４】
顔認識カメラ１２０Ａとしては、赤外線カメラや、画像形成装置１の本体の一部に光源を備え、光源からのフラッシュ光で撮像するフラッシュ撮像機能を備えたカメラであっても良い。
【００３５】
人検知カメラ１２０と顔認識カメラ１２０Ａにより、操作者の撮像範囲として２つの領域（図４の撮像範囲Ａ１と撮像範囲Ａ２）を設定して、それぞれの人検知カメラ１２０と顔認識カメラ１２０Ａで画像を多方向から撮像して撮像される人の特徴をより詳細に記録することができる。
相対的に遠い検出領域である図４の撮像範囲Ａ１は、人検知カメラ１２０による相対的に画像形成装置１から離れた領域の操作者を撮像する撮像領域である。
また、相対的に近い撮像領域である図４の撮像範囲Ａ２は、顔認識カメラ１２０Ａによる相対的に近接の操作者を撮像する撮像領域、具体的には、画像形成装置１の操作情報部４の操作が可能な範囲であり、目安として０〜２ｍ程度である。
【００３６】
（３）人検知カメラを用いた操作者の画像の記録
図５は画像形成装置１の動作の流れを示すフローチャートである。
以下、本実施形態に係る画像形成装置１の動作制御について、さらに具体的に説明する。
【００３７】
従来、画像形成装置の一例として、スキャン機能、コピー機能、プリント機能等を備えた複合機を操作者が使用する場合には、予め識別情報が記録されたＩＣカード等を用いて操作者の特定が行われていた。
一方、成りすまし又は誤って、ＩＣカードの正規の持ち主以外の操作者が、そのＩＣカードを用いて複合機を操作又は処理指示を行った場合には、その操作者の特定を行うことができなかった。
【００３８】
本実施形態に係る画像形成装置１は、認証部５で操作者の認証がなされ、操作情報部４が操作者の処理を受け付けた場合、撮像手段としての人検知カメラ１２０によって撮像された操作者の顔を含む静止画像又は動画像を処理対象の文書データの識別情報と関連付けて画像形成装置１の記録手段としての記録装置２０（ハードディスク）に記録し又は外部へ送信を行う。
【００３９】
（３．１）人検知装置１００の動作
認証部５が、操作者がかざしたＩＣカードの識別情報を受け付ける（Ｓ１０１）と、予め登録された使用者情報が保管されている外部認証サーバへ受け付けた識別情報を送信し、外部認証サーバから送信されてくる使用者情報を受信することで使用者の認証を行う（Ｓ１０２）。
【００４０】
認証部５が受け付けた識別情報が予め登録された使用者情報のひとつと一致する場合（Ｓ１０２：Ｙｅｓ）、操作情報部４が操作者の指示を受け付ける（Ｓ１０３）。具体的には、操作者が操作情報部４を介して、スタートボタンを押下して、画像形成装置１が、指示に対応した動作を開始する。
そして、画像形成装置制御部１１は、制御部１５０を介して、人検知カメラ１２０へ撮像開始を指示し（Ｓ１０４）、処理対象の文書データを特定するための属性情報を属性情報保存部１４に保存する（Ｓ１０５）。
【００４１】
そして、映像出力部１２２は、撮像部１２１によって撮像した操作者の顔を含む画像を画像蓄積部１３０に一時的に記憶する（Ｓ１０６）。具体的には、映像出力部１２２は、画像センサ１２１ａから出力された撮像データに対して、デジタル変換、ノイズ除去といった処理を施し、得られたデジタルデータを静止画像（スナップショット）又は動画像として、揮発メモリからなる画像蓄積部１３０に一時的に記録する。
【００４２】
そして、画像取得部１５は、画像蓄積部１３０に一時的に記憶された画像を送信部１４０を介して取得して、属性情報保存部１４に保存された文書データの属性情報とともに、画像保存部１６を介して記録装置２０に記録する（Ｓ１０７）。
尚、ステップ１０７においては、画像蓄積部１３０に一時的に保存された画像を属性情報とともに、通信手段を介して外部へ送信して予め指定されたサーバ等へ保存しても良い。
【００４３】
「変形例」
人検知カメラ１２０が常にＯＮとなっている状態では、操作情報部４が操作者の指示を受け付けた（Ｓ１０３）場合、画像取得部１５は、画像蓄積部１３０に一時的に記憶された画像の中から、操作情報部４が操作者の指示を受け付けた以降の画像を送信部１４０を介して取得して、属性情報保存部１４に保存された文書データの属性情報とともに、画像保存部１６を介して記録装置２０に記録（Ｓ１０７）しても良い。
【００４４】
本実施形態に係る画像形成装置１は、認証部５で操作者の認証がなされ、操作情報部４が操作者の指示を受け付けた場合、人検知カメラ１２０によって撮像された操作者の顔を含む静止画像又は動画像を文書データの属性情報と関連付けて記録装置２０（ハードディスク）に記録し又は外部へ送信を行う。
その結果、複合機を使用する操作者を特定する記録を蓄積することができ、操作履歴と同調させることによって、操作内容に対する実際の操作者の特定をするための画像を提供することができる。
【００４５】
（３．２）記録された画像の表示
本実施形態に係る画像形成装置１は、認証部５で操作者の認証がなされ、操作情報部４が操作者の処理を受け付けた場合に、人検知カメラ１２０で撮像され記録装置２０に記録されている操作者の顔を含む画像を操作情報部４に表示する。
その結果、記録装置２０に記録された静止画像（スナップショット）又は動画像及び処理された文書データの属性情報を後から確認することができる。
【００４６】
（３．３）記録された画像の管理
本実施形態に係る画像形成装置１は、操作者が有するアクセス権に基づいて人検知カメラ１２０で撮影され記録装置２０に記録されている操作者の顔を含む画像に対する検索を受け付ける。
制御装置１０は、アクセス権判定部１８（図２参照）を有し、ネットワーク等を介してクライアント等から送られてくる記録装置２０に記録されている操作者の顔を含む画像に対するアクセス要求に応じる。
【００４７】
アクセス権判定部１８は、クライアントから送られてくるアクセス要求に応じて、指定された検索のアクセス権の有無を判定し、クライアントへ返答する。
そして、操作者の操作に応じてクライアントから送られてくる承認要求に応じて、検索の承認の是非を判定し、記録装置２０に記録されている操作者の顔を含む画像の検索を受け付ける。
その結果、記録装置２０に記録された静止画像（スナップショット）又は動画像及び処理された文書データの属性情報を安全に管理することができる。
【００４８】
「第２実施形態」
図６は画像形成装置１Ａのハードウェア構成を示すブロック図、図７は画像形成装置１Ａの動作の流れを示すフローチャートである。尚、第１実施形態に係る画像形成装置１と共通の構成要素には、同一の符号を付し、その詳細な説明は省略する。
【００４９】
本実施形態に係る画像形成装置１Ａは、予め複製管理情報が付与された原稿の画像を読み取って複製管理情報を検出する検出手段としての情報検出部３０を更に備え、操作情報部４が操作者の指示を受け付けた場合に、情報検出部３０によって複製管理情報が検出された場合、人検知カメラ１２０が撮像した操作者の顔を含む静止画像又は動画像を文書データの識別情報と関連付けて記録装置２０（ハードディスク）に記録する。
【００５０】
認証部５が、操作者がかざしたＩＣカードの識別情報を受け付ける（Ｓ２０１）と、予め登録された使用者情報が保管されている外部認証サーバＳへ受け付けた識別情報を送信し、外部認証サーバＳから送信されてくる使用者情報を受信することで使用者の認証を行う（Ｓ２０２）。
【００５１】
認証部５が受け付けた識別情報が予め登録された使用者情報のひとつと一致する場合（Ｓ２０２：Ｙｅｓ）、操作情報部４が操作者の指示を受け付ける（Ｓ２０３）。具体的には、操作者が操作情報部４を介して、スタートボタンを押下して、画像形成装置１が、指示に対応した動作を開始する。
そして、情報検出部３０が複製管理情報の一例として、原稿に埋め込まれた電子透かし情報を検出した場合（Ｓ２０４：Ｙｅｓ）、画像形成装置制御部１１は、制御部１５０を介して、人検知カメラ１２０へ撮像開始を指示し（Ｓ２０５）、処理対象の文書データを特定するための属性情報を属性情報保存部１４に保存する（Ｓ２０６）。
そして、映像出力部１２２は、撮像部１２１によって撮像した操作者の顔を含む画像を画像蓄積部１３０に一時的に記憶する（Ｓ２０７）。
【００５２】
次に、画像取得部１５は、画像蓄積部１３０に一時的に記憶された画像を送信部１４０を介して取得して、属性情報保存部１４に保存された文書データの属性情報とともに、画像保存部１６を介して記録装置２０に記録する（Ｓ２０８）。
尚、ステップ２０８においては、画像蓄積部１３０に一時的に保存された画像を処理対象の文書データを特定するための属性情報とともに、通信手段を介して外部へ送信して予め指定されたサーバ等へ保存しても良い。
【００５３】
「変形例」
人検知カメラ１２０が常にＯＮとなっている状態では、原稿に埋め込まれた電子透かし情報を検出した場合（Ｓ２０４：Ｙｅｓ）、画像取得部１５は、画像蓄積部１３０に一時的に記憶された画像の中から、操作情報部４が操作者の指示を受け付けた以降の画像を送信部１４０を介して取得して、属性情報保存部１４に保存された文書データの属性情報とともに、画像保存部１６を介して記録装置２０に記録（Ｓ２０８）しても良い。
【００５４】
その結果、デジタルウォーターマーク等の電子透かし情報が付与された原稿に複写、スキャン等の操作が行われたときに、複製管理がなされている原稿の不正な複製処理を抑制することができる。
【００５５】
「第３実施形態」
図８は画像形成装置１Ｂの外観全体を示す概略構成図、図９は人検知装置１００Ａの検知範囲及び撮像範囲を示す模式図、図１０は画像形成装置１Ｂのハードウェア構成を示すブロック図、図１１は画像形成装置１Ｂの動作の流れを示すフローチャートである。尚、第１実施形態に係る画像形成装置１と共通の構成要素には、同一の符号を付し、その詳細な説明は省略する。
【００５６】
本実施形態の画像形成装置１Ｂは、予め設定された領域内で移動体を検知する移動体検知手段の一例として人感センサ１１０を備え、予め設定された所定の時間帯において、人感センサ１１０で移動体が検知された場合に、人検知カメラ１２０で予め定められた領域の画像を連続して撮像して記録装置２０に記録する。
【００５７】
（１）画像形成装置１Ｂの全体構成
読取装置支持部６Ｂには、移動体検知手段の一例としての人感センサ１１０と、撮像手段の一例としての人検知カメラ１２０が装着されている。人感センサ１１０及び人検知カメラ１２０は、移動体の一例としての人を検知し、人感センサ１１０で検知された検知信号、人検知カメラ１２０で撮像された画像データを制御装置１０へ送信する送信部１４０を含めて人検知装置１００Ａを構成している。
【００５８】
（２）人感センサ
人感センサ１１０は、焦電素子、レンズ、ＩＣ、プリント基板などを備え、人が動く際におこる赤外線の変化量を検出し、検出した変化量が予め定められた基準値を上回った場合に、予め定められた領域（図９に示す検知範囲Ａ３）内に人が入ってきたことを検知する焦電型センサ１１１と、焦電型センサ１１１を実装する基板１１２とを備えている。
【００５９】
画像形成装置制御部１１のＲＯＭには、予め設定された所定の時間帯を特定するための情報が予め直接的に格納されている。所定の時間帯としては、例えば、午前７時と午後５時という情報が記憶され、午前７時から午後５時までは昼間の時間帯、午後５時から午前７時までは夜間の時間帯のうち、画像形成装置１の使用者が少ない時間帯が所定の時間帯と判断される。
【００６０】
画像形成装置制御部１１は、当該情報を参照することにより、例えば所定の時間帯として、一日を昼間の時間帯と夜間の時間帯に分割することができる。そして、現在時刻が昼間の時間帯に属するか夜間の時間帯に属するかを決定して、時間帯ごとに人感センサ１１０と、人検知カメラ１２０の制御内容を決定する。
【００６１】
また、画像形成装置制御部１１は、画像形成装置１Ａの使用者又は管理者から、予め設定された所定の時間帯を特定するための情報の入力を操作情報部４等を介して受け付けても良い。すなわち、昼間の時間帯と夜間の時間帯を区分けする時刻を使用者又は管理者が設定できるように構成されても良い。
【００６２】
予め設定された所定の時間帯（Ｓ３０１）において、人感センサ１１０が予め定められた領域（図９に示す検知範囲Ａ３）内に人が入ってきたことを検知する（Ｓ３０２：ＹＥＳ）と、検知信号が制御部１５０に送られる。
制御部１５０は、人感センサ１１０の検知信号に基づいて、人検知カメラ１２０をＯＮにして（Ｓ３０３）、人検知カメラ１２０の撮像領域（図９に示す撮像範囲Ａ１）において、予め定められた時間、連続して人の顔を含む画像を画像蓄積部１３０に一時的に記憶する（Ｓ３０４）。
【００６３】
そして、画像取得部１５は、画像蓄積部１３０に一時的に記憶された画像を送信部１４０を介して取得して、人感センサ１１０が人を検知した時間情報とともに、画像保存部１６を介して記録装置２０に記録する（Ｓ３０５）。
【００６４】
その結果、予め設定された所定の時間帯において、人感センサ１１０で移動体が検知された画像形成装置１Ｂ周辺の人を含む画像を記録装置２０に蓄積して、操作履歴と同調させることによって、夜間或いは画像形成装置１の使用者が少ない時間帯における実際の操作者の特定をするための画像を提供することができる。
【００６５】
「変形例」
図１２は、変形例にかかる画像形成装置１Ｂの動作の流れを示すフローチャートである。
画像形成装置制御部１１は、制御部１５０を介して、光量センサ１２１ｃに入射する光量を取得（Ｓ４０１）して、検知された光量が予め定められた光量よりも少ない場合に（Ｓ４０２：Ｙｅｓ）、人感センサ１１０をＯＮにする（Ｓ４０３）。
【００６６】
そして、人感センサ１１０の検知信号に基づいて（Ｓ４０４：Ｙｅｓ）、人検知カメラ１２０をＯＮにして（Ｓ４０５）、人検知カメラ１２０の撮像領域（図９に示す撮像範囲Ａ１）において、予め定められた時間、連続して人の顔を含む画像を画像蓄積部１３０に一時的に記憶する（Ｓ４０６）。
【００６７】
そして、画像取得部１５は、画像蓄積部１３０に一時的に記憶された画像を送信部１４０を介して取得して、人感センサ１１０が人を検知した時間情報とともに、画像保存部１６を介して記録装置２０に記録する（Ｓ４０７）。
【００６８】
その結果、画像形成装置１が設置された領域が暗くなった時間帯において、人感センサ１１０で移動体が検知された画像形成装置１Ｂ周辺の人を含む画像を記録装置２０に蓄積して、操作履歴と同調させることによって、通常に使用時間帯を超えた夜間或いは画像形成装置１の使用者が少ない時間帯における実際の操作者の特定をするための画像を提供することができる。
【００６９】
「第４実施形態」
図１３は画像形成装置１Ｃのハードウェア構成を示すブロック図である。尚、第１実施形態に係る画像形成装置１と共通の構成要素には、同一の符号を付し、その詳細な説明は省略する。
【００７０】
本実施形態に係る画像形成装置１Ｃは、記録装置２０に識別符号とともに記録された画像を指定された格納先に複製する複製手段としての複製処理部１９を更に備え、複製処理部１９は、記録装置２０から定期的に記録された画像を取得して指定された格納先に複製する。
【００７１】
複製処理部１９は、記録装置２０に識別符号とともに記録された画像についての複製（バックアップ）の開始を指示する指示部１９１（不図示）を有している。指示部１９１は、画像形成装置１Ｃの管理者が予め定めたバックアップタイミングとなったことを把握し、あるいは手動によるバックアップ開始のコマンドを検知し、記録装置２０に識別符号とともに記録された画像についてのバックアップの開始を指示する。
なお、バックアップするタイミングは、例えば、日に１回、週に１回というように、管理者が予め定めておくことができる。また、手動でバックアップ処理を行ってもよい。
【００７２】
複製処理部１９は、バックアップすべき画像を決定する複製画像決定部１９２（不図示）を有している。複製画像決定部１９２は、バックアップタイミングに基づいて、記録装置２０に記録された画像を検索してバックアップすべき画像を決定する。
そして、複製処理部１９は、バックアップする画像をバックアップ先に受け渡す複製部１９３（不図示）を有している。複製部１９３は、複製画像決定部１９２がバックアップすべき画像として決定した画像を記録装置２０から読み出し、バックアップ先（例えば、ネットワークを介して接続されたサーバ）に受け渡す。
【００７３】
その結果、画像形成装置１Ｃ本体の記録装置２０の容量を増大させることなく、識別符号とともに記録された画像のバックアップデータを保存することができる。
【符号の説明】
【００７４】
１、１Ａ、１Ｂ、１Ｃ・・・画像形成装置
２・・・読取部
３・・・画像形成部
４・・・操作情報部
５・・・認証部
６・・・読取装置支持部
１０・・・制御装置
１１・・・画像形成装置制御部
１２・・・コントローラ部
１３・・・識別情報取得部
１４・・・属性情報保存部
１５・・・画像取得部
１６・・・画像保存部
１７・・・ＵＩ制御部 
１８・・・アクセス権判定部
１９・・・複製処理部
２０・・・記録装置
３０・・・情報検出部
１００、１００Ａ・・・人検知装置
１１０・・・人感センサ
１１１・・・焦電センサ
１２０・・・人検知カメラ
１２１・・・撮像部 
１２２・・・映像出力部
１３０・・・画像蓄積部 
１４０・・・送信部
１５０・・・制御部
【図１】
0006484997.tif 000002
【図２】
0006484997.tif 000003
【図３】
0006484997.tif 000004
【図４】
0006484997.tif 000005
【図５】
0006484997.tif 000006
【図６】
0006484997.tif 000007
【図７】
0006484997.tif 000008
【図８】
0006484997.tif 000009
【図９】
0006484997.tif 000010
【図１０】
0006484997.tif 000011
【図１１】
0006484997.tif 000012
【図１２】
0006484997.tif 000013
【図１３】
0006484997.tif 000014